(57)【要約】【課題】中継局の基地局側アンテナを、最適な方向に自動調整する。また、受信信号品質が一定以上であれば自動的に中継局の送信機の利得調整を行なう。【解決手段】  予め決めておいた受信信号強度および受信信号品質の閾値および前記測定部の測定結果を記憶しておき、予め決めておいた契機に、基地局からの受信信号を測定し、測定した受信信号強度と受信信号品質を前記閾値と比較し、受信信号強度が閾値以下かつ受信信号品質が閾値以上の場合には、基地局から受信した信号に対して利得処理を行なって移動機に送信し、受信信号強度および受信信号品質がともに閾値以下の場合には、予め決めておいた規定値に基づいて基地局側アンテナの角度を変化させ変化後の受信信号強度および受信信号品質、基地局識別子を測定し、前記閾値以上または測定結果が最良の方向に基地局側アンテナの角度を制御する。【選択図】  図３
2012054735.tif 000002
【特許請求の範囲】
【請求項１】
電波が届きにくいエリアに、基地局から送信される信号を中継する中継局であって、
基地局からの信号を受信する基地局側アンテナと、
受信信号の受信信号強度と、受信信号品質と、基地局識別信号を求める測定部と、
前記受信信号に必要な情報処理を行なうとともに、前記受信信号強度と、受信信号品質と、基地局識別信号に基づき、前記基地局側アンテナの角度の変更の判断および指示を行なう情報処理部と、
移動機と信号の送受信を行なう移動機側アンテナと、
前記情報処理部からの指示に基づいて前記基地局側アンテナの駆動制御を行なうアンテナ駆動部とを備え、
前記情報処理部は、
予め決めておいた受信信号強度および受信信号品質の閾値および前記測定部の測定結果を記憶するデータベースを有し、予め決めておいた契機に、前記測定部で測定した受信信号強度と受信信号品質を前記閾値と比較し、
受信信号強度が閾値以下かつ受信信号品質が閾値以上の場合には、基地局から受信した信号に対して利得処理を行なって前記移動機側アンテナを介して送信し、
受信信号強度および受信信号品質がともに閾値以下の場合には、予め決めておいた規定値に基づいて前記基地局側アンテナの角度を変化させ変化後の受信信号強度および受信信号品質、基地局識別子を前記測定部で測定し、前記閾値以上または測定結果が最良の方向に基地局側アンテナの角度を制御することを特徴とする中継局。
【請求項２】
請求項１記載の中継局であって、
前記アンテナ駆動部は、基地局側アンテナを水平方向に３６０度駆動可能であり、
前記情報処理部は、前記測定部で測定した結果、受信信号強度および受信信号品質がともに閾値以下の場合には現在の方向を０度として、予め決めておいた規定値分、プラスおよびマイナス方向に基地局側アンテナの方向を変化させて受信信号強度および受信信号品質を測定し、受信信号強度および受信信号品質が閾値以上となる方向にアンテナを制御するよう指示し、
プラスおよびマイナス方向に基地局側アンテナの方向を変化させても受信信号強度および受信信号品質が閾値以上とならない場合には、水平の一定方向に、予め決めておいた規定値分、基地局側アンテナの方向を変化させて受信信号強度および受信信号品質を測定し、受信信号強度および受信信号品質を閾値と比較し、前記閾値以上または測定結果が最良の方向に基地局側アンテナの角度を制御することを特徴とする中継局。
【請求項３】
電波が届きにくいエリアに、基地局から送信される信号を中継する中継局であって、
基地局からの信号を受信する基地局側アンテナと、
受信信号の受信信号強度と、受信信号品質と、基地局識別信号を求める測定部と、
前記受信信号に必要な情報処理を行なうとともに、前記受信信号強度と、受信信号品質と、基地局識別信号に基づき、前記基地局側アンテナの角度の変更の判断および指示を行なう情報処理部と、
移動機と信号の送受信を行なう移動機側アンテナと、
前記情報処理部からの指示に基づいて前記基地局側アンテナの駆動制御を行なうアンテナ駆動部とを備え、
前記情報処理部は、
予め決めておいた受信信号強度および受信信号品質の閾値および前記測定部の測定結果を記憶するデータベースを有し、予め決めておいた契機に、前記測定部で測定した受信信号強度と受信信号品質を前記閾値と比較し、
受信信号強度および受信信号品質の少なくとも一方が閾値以下の場合には、予め決めておいた範囲で規定値分ずつ前記基地局側アンテナの角度を変化させ変化後の受信信号強度および受信信号品質、基地局識別子を前記測定部で測定し、測定結果が最良の方向に基地局側アンテナの角度を制御することを特徴とする中継局。
【請求項４】
電波が届きにくいエリアに、基地局から送信される信号を中継する中継局において基地局からの信号を受信する基地局側アンテナの方向を制御する方法であって、
予め決めておいた受信信号強度および受信信号品質の閾値および前記測定部の測定結果を記憶しておき、予め決めておいた契機に、基地局からの受信信号を測定し、測定した受信信号強度と受信信号品質を前記閾値と比較し、
受信信号強度が閾値以下かつ受信信号品質が閾値以上の場合には、基地局から受信した信号に対して利得処理を行なって移動機に送信し、
受信信号強度および受信信号品質がともに閾値以下の場合には、予め決めておいた規定値に基づいて基地局側アンテナの角度を変化させ変化後の受信信号強度および受信信号品質、基地局識別子を測定し、前記閾値以上または測定結果が最良の方向に基地局側アンテナの角度を制御することを特徴とするアンテナ制御方法。
【請求項５】
請求項４記載のアンテナ制御方法であって、
前記基地局側アンテナは、水平方向に３６０度駆動可能であり、
基地局からの受信信号を測定した結果、受信信号強度および受信信号品質がともに閾値以下の場合には現在の方向を０度として、予め決めておいた規定値分、プラスおよびマイナス方向に基地局側アンテナの方向を変化させて受信信号強度および受信信号品質を測定し、受信信号強度および受信信号品質が閾値以上となる方向にアンテナを制御し、
プラスおよびマイナス方向に基地局側アンテナの方向を変化させても受信信号強度および受信信号品質が閾値以上とならない場合には、水平の一定方向に、予め決めておいた規定値分、基地局側アンテナの方向を変化させて受信信号強度および受信信号品質を測定し、受信信号強度および受信信号品質を閾値と比較し、前記閾値以上または測定結果が最良の方向に基地局側アンテナの角度を制御することを特徴とするアンテナ制御方法。
【請求項６】
電波が届きにくいエリアに、基地局から送信される信号を中継する中継局において基地局からの信号を受信する基地局側アンテナの方向を制御する方法であって、
予め決めておいた受信信号強度および受信信号品質の閾値および前記測定部の測定結果を記憶し、予め決めておいた契機に、基地局からの受信信号の受信信号強度および受信信号品質および基地局識別子を測定し、測定した受信信号強度と受信信号品質を前記閾値と比較し、
受信信号強度および受信信号品質の少なくとも一方が閾値以下の場合には、予め決めておいた範囲で規定値分ずつ前記基地局側アンテナの角度を変化させ変化後の受信信号強度および受信信号品質、基地局識別子を測定し、測定結果が最良の方向に基地局側アンテナの角度を制御することを特徴とするアンテナ制御方法。
【発明の詳細な説明】
【技術分野】
【０００１】
本発明は、移動体通信システムに関し、特に基地局からの信号を移動機に中継する中継局および中継局のアンテナ制御方法に関する。
【背景技術】
【０００２】
移動体通信システムにおいて、基地局が送信する電波が届きにくい建物内や地下街などは、移動機のユーザが十分な通信サービスを受けることが出来ないエリアとなっている。これを解消し、移動体通信サービスが可能なエリアを拡大、またはエリアの品質を向上させる装置として、中継局の設置数が増えてきている。中継局は、基地局から送信された無線周波数（ＲＦ：Radio Frequency）信号を増幅して、電波の届きにくいエリアにいる移動機に対して増幅したＲＦ信号を送信する装置であり、基地局と中継局間のＲＦ信号の受信品質が劣化すると、中継局から移動機に対して送信されるＲＦ信号も劣化してしまう。その結果、中継局がカバーするエリア内に、移動機が通信できないエリアが発生する可能性がある。
【０００３】
現状の中継局には、基地局と中継局間のＲＦ信号の受信品質が劣化しても、中継局の対基地局の受信機にＲＦ信号の変化を測定して検出する機能がない。そのため、基地局と中継局間のＲＦ信号の品質が劣化した場合、問題の発生がわかるのにも時間がかかり、また保守作業やクレームに対応するために現地に作業員が行く時まで、そのエリアの品質劣化は放置されたままとなっている。
【０００４】
基地局と中継局間のＲＦ信号の受信品質が劣化する一因として、新たに基地局が設置されるなどして、基地局が変更された場合がある。特許文献１は、自動車電話等の基地局に関する発明で、上位の基地局が変更された場合に、下位の基地局が指向性アンテナの方向を自動的に調整する技術が開示されている。特許文献１では、下位の基地局は、入力された上位の基地局の位置情報に基いて指向性アンテナの方向等を算出してアンテナを制御し、さらに指向性アンテナの方向を微細に変化させながらそのときの受信強度を求め、最大の受信電界強度となる方向に指向性アンテナの方向を決定している。
【先行技術文献】
【特許文献】
【０００５】
【特許文献１】特開平５-９１０１１号
【発明の概要】
【発明が解決しようとする課題】
【０００６】
中継局の設置時は、基地局と中継局との間は見通しがよく、基地局と中継局間のＲＦ信号の品質に問題は無かった場合でも、建物の建設等により環境が変化し、基地局と中継局との間に障害物ができてしまうことがある。特に都市部ではそのような環境の変化が頻繁に起きる。障害物ができると、基地局と中継局との間のＲＦ信号の品質が劣化してしまい、従来の中継局では、対基地局側のアンテナの方向を基地局からのＲＦ信号の受信電界強度を測定しながら手作業で調整する必要があった。この作業は高所での危険な作業になるとともに、労力や費用が必要とされる。また、受信電界強度が変化した場合には、受信信号品質（Ｅｃ／Ｉｏ：希望信号と干渉成分を含めた全ての信号との比）も変化するため、中継局における増幅幅を調整する必要が生じ、中継局側の送信機も利得調整をする必要がある。
【０００７】
本発明は、上記課題を解決するためになされたもので、中継局の対基地局側のアンテナを、基地局からの電波を受信するのに最適な方向に自動的に調整することを目的とする。また、中継局と基地局間の受診信号強度（ＲＳＳＩ：Received Signal Strength Indication）によらず、受信信号品質（Ｅｃ／Ｉｏ）が一定以上であれば自動的に中継局の送信機の利得調整を行なうことができるようにすることを目的とする。
【課題を解決するための手段】
【０００８】
上記課題を解決するために、本発明においては、予め決めておいた受信信号強度および受信信号品質の閾値および測定部の測定結果を記憶しておき、予め決めておいた契機に、基地局からの受信信号を測定し、測定した受信信号強度と受信信号品質を閾値と比較し、
受信信号強度が閾値以下かつ受信信号品質が閾値以上の場合には、基地局から受信した信号に対して利得処理を行なって移動機に送信し、
受信信号強度および受信信号品質がともに閾値以下の場合には、予め決めておいた規定値に基づいて基地局側アンテナの角度を変化させ変化後の受信信号強度および受信信号品質、基地局識別子を測定し、閾値以上または測定結果が最良の方向に基地局側アンテナの角度を制御するようにした。
【発明の効果】
【０００９】
本発明によれば、中継局の対基地局側のアンテナを、基地局からの電波を受信するのに最適な方向に自動的に調整することができる。また、中継局と基地局間の受診信号強度（ＲＳＳＩ：Received Signal Strength Indication）によらず、受信信号品質（Ｅｃ／Ｉｏ）が一定以上であれば自動的に中継局の送信機の利得調整を行なうことができるようになる。
【図面の簡単な説明】
【００１０】
【図１】中継局の中継機能を説明するための図である。
【図２】本発明の一実施例における中継局の構成を説明する図である。
【図３】本発明の一実施例における中継局の処理内容を説明するフローチャートである。
【図４】本発明の一実施例における測定値データベースの構成例および処理の各時点における測定値の例を示す図である。
【発明を実施するための形態】
【００１１】
以下、図面を用いて本発明を実施するための形態を説明する。
【実施例１】
【００１２】
図1は中継局の機能を説明するための図である。
図１において、中継局Ａ２００は、基地局Ａ１００からの電波を対基地局側アンテナ２０１より受信し、増幅して対移動機側アンテナ２０２から建物４００内の移動機Ａ３００に送信する。このようにすることで、図１のような建物内の他、地下街など、基地局Ａ１００または基地局Ｂ１０１の電波が届きにくいエリアにいる移動機Ａ３００にも、移動体通信サービスを高品質に行う。中継局Ａ２００は、無線通信を行うことの出来る基地局Ａ１００と、建物内の電波の届きにくいエリアに位置する移動機Ａ３００との間の移動体通信のパイプ役として機能する。図１の対基地局側アンテナ２０１は、アンテナの方向を変化させることが可能なアンテナである。
【００１３】
図２は本発明の一実施例における中継局の構成を説明する図である。
中継局２００には、基地局と無線で通信できる位置に設置され、基地局からの電波を受信する対基地局側アンテナ２０１と、この対基地局側アンテナの方向を水平方向に変化調整するアンテナ駆動部２０３と、対基地局側アンテナを通して基地局からの電波を受信し、同期をとり復調する受信部２０４と、受信信号強度（ＲＳＳＩ）、受信信号品質（Ｅｃ／Ｉｏ）およびセル識別信号（ＥＶＤＯシステムにおいてはＰＮ（Pseudo Noise）符号、ＷＣＤＭＡシステムにおいてはＳＣ（Scrambling code）、ＬＴＥシステムにおいてはＲＳ（Reference Signal））を測定する測定部２０５と、測定部２０５で得られた情報をデータベース化２０８し処理を行い、アンテナ駆動部２０３と送信部２０７を制御する情報処理部２０６と、建物内の移動機に対して電波を送信する送信部２０７と、建物内の移動機と無線で通信できる位置に設置された対移動機側アンテナ２０２とを備える。
【００１４】
図３は本発明の一実施例における中継局の処理内容を説明するフローチャートである。
中継局は、例えば一定時間間隔で図３に示す処理を実施する。
まず、上位の基地局からの電波を対基地局側アンテナより受信し受信信号強度（ＲＳＳＩ）および受信信号品質（Ｅｃ／Ｉｏ）を測定する（Ｓ３０１）。中継局は、受信信号強度（ＲＳＳＩ）および受信信号品質（Ｅｃ／Ｉｏ）を閾値と比較する。閾値は、予め設定しておく他、一定期間の測定値の平均値を閾値として用いてもよい。中継局はまた、セル識別信号（ＰＮ、ＳＣ、ＲＳ）を取得し前回取得したセル識別信号と比較する。中継局は、受信信号強度（ＲＳＳＩ）、受信信号品質（Ｅｃ／Ｉｏ）がともに閾値以下であれば（Ｓ３０２）、対基地局側アンテナの方向を水平にプラス方向およびマイナス方向に規定値分変化させる(Ｓ３０３)。アンテナ方向を変化させた後、中継局は、基地局からの電波を測定（受信信号強度（ＲＳＳＩ）、受信信号品質（Ｅｃ／Ｉｏ）、セル識別信号（ＰＮ、ＳＣ、ＲＳ）を測定）する(Ｓ３０４)。次に、中継局は、受信信号強度（ＲＳＳＩ）、受信信号品質（Ｅｃ／Ｉｏ）が閾値以下であるかどうか判定し(Ｓ３０５)、対基地局側アンテナの方向を水平方向に変化させても受信信号強度（ＲＳＳＩ）、受信信号品質（Ｅｃ／Ｉｏ）が閾値以下である場合には、受信信号品質（Ｅｃ／Ｉｏ）が一番高い電波のセル識別信号（ＰＮ、ＳＣ、ＲＳ）を判別しながら、適切なアンテナの方向を探すために対基地局側アンテナの方向を水平方向にさらに規定値分変化させる(Ｓ３０６)。中継局は、アンテナ方向を規定値分変化させた後、基地局からの電波を測定（受信信号強度（ＲＳＳＩ）、受信信号品質（Ｅｃ／Ｉｏ）、セル識別信号（ＰＮ、ＳＣ、ＲＳ）を測定）する(Ｓ３０７)。中継局は測定した受信信号強度（ＲＳＳＩ）、受信信号品質（Ｅｃ／Ｉｏ）が閾値以下であるかどうか判定し(Ｓ３０８)、ともに閾値以下であれば、対基地局側アンテナの方向が一周して元の方向に戻ったかどうかの判定を行なう（Ｓ３０９）。水平方向に規定値分づつ変化させていっても受信信号強度（ＲＳＳＩ）、受信信号品質（Ｅｃ／Ｉｏ）が閾値以上の方向がなく、元の方向に戻ってしまった場合には、中継局は、それまで取得したのデータの中で受信信号強度（ＲＳＳＩ）、受信信号品質（Ｅｃ／Ｉｏ）が、最も良い値となった方向に、対基地局側アンテナの方向を変化させる(Ｓ３１０)
受信信号強度（ＲＳＳＩ）と受信信号品質（Ｅｃ／Ｉｏ）を閾値と比較するステップ（Ｓ３０２、Ｓ３０５、Ｓ３０８）において、受信信号強度（ＲＳＳＩ）、受信信号品質（Ｅｃ／Ｉｏ）の両方またはどちらか一方が閾値以上の場合、中継局は、受信信号品質（Ｅｃ／Ｉｏ）のみ閾値以上かどうかの判定を行なう（Ｓ３１１）。受信信号強度（ＲＳＳＩ）と受信信号品質（Ｅｃ／Ｉｏ）の両方が閾値以上でステップ３１１の判定結果がＮｏの場合には、対基地局側アンテナの方向はそのままでよく、中継局は処理を終了して処理開始の次のトリガを待つ。受信信号強度（ＲＳＳＩ）が閾値以上で受信信号品質（Ｅｃ／Ｉｏ）が閾値以下でステップ３１１の判定結果がＮｏの場合は、基地局側アンテナの方向を変化させるだけでは受信状況は改善しないと考えられるため、中継局は例えば基地局を介して管理装置（図示せず）にアラームを送るなどして処理を終了する。
【００１５】
受信信号強度（ＲＳＳＩ）は閾値以下で受信信号品質（Ｅｃ／Ｉｏ）のみ閾値以上でステップ３１１の判定結果がＹｅｓの場合は、対基地局側アンテナの方向は変化させず、中継局内で利得処理を行なう（Ｓ３１２）。そして、利得処理が行なわれた値で、送信部より移動機に対して信号を送信すし（Ｓ３１３）処理開始の次のトリガを待つ。
【００１６】
図４は本発明の一実施例における測定値データベースの構成例および処理の各時点における測定値の例を示す図である。
図４の（１）は、閾値（基準値）として測定値データベースに設定されている値の例を示している。
中継局における閾値の設定は、例えば、一定期間（例えば一週間）受信信号強度（ＲＳＳＩ）、受信信号品質（Ｅｃ／Ｉｏ）、セル識別信号（ＰＮ、ＳＣ、ＲＳ）を測定し、一定期間の平均値に基づいて設定する。その後、一定時間間隔(例えば一週間毎）に、受信信号強度（ＲＳＳＩ）、受信信号品質（Ｅｃ／Ｉｏ）、セル識別信号（ＰＮ、ＳＣ、ＲＳ）を測定し、閾値および基準値を更新する。受信信号強度（ＲＳＳＩ）、受信信号品質（Ｅｃ／Ｉｏ）の閾値は、一定期間の測定結果に基づいて設定し更新する他、固定値として設定しておいてもよい。図４の例では、上記のいずれかの方法で、受信信号強度（ＲＳＳＩ）の閾値が−７５ｄＢｍ、受信信号品質（Ｅｃ／Ｉｏ）の閾値が−４．５ｄＢ、セル識別信号（ＰＮ、ＳＣ、ＲＳ）の基準値としてＡ−１が設定されている場合を示している。
【００１７】
中継局は、基地局からの電波を定期的または管理装置などからの指示により測定し、測定結果が（１）に示す受信信号強度（ＲＳＳＩ）と受信信号品質（Ｅｃ／Ｉｏ）の閾値およびセル識別信号（ＰＮ、ＳＣ、ＲＳ）の基準値から変化がないようであれば、対基地局側アンテナの方向を現状のままとする。
基地局から受信した電波を測定した結果、（２）に示すように受信信号強度（ＲＳＳＩ）が閾値の−７５ｄＢｍを下回った場合、受信信号品質（Ｅｃ／Ｉｏ）の測定値は閾値以上で問題が無ければ、中継局は、受信した信号に対して利得処理（増幅）を行うだけでよく、利得処理により増幅された電力値で送信部から電波を送信する。
一方、基地局から受信した電波を測定した結果、（３）に示すように受信信号強度（ＲＳＳＩ）が−８０ｄＢｍと閾値を下回り、また受信信号品質（Ｅｃ／Ｉｏ）も−８．１ｄＢと閾値を下回った場合は、中継局は対基地局側アンテナの方向を水平方向に＋、−規定値分ずつ変化させ、変化させる度に基地局から受信した電波を測定し、基地局に対して最適なアンテナ方向を探す。
【００１８】
対基地局側アンテナの方向を水平方向に＋、−規定値分ずつ変化させて基地局から受信する電波を測定し、＋規定値分、または−規定値分変化させた方向で（４）に示すように受信信号強度（ＲＳＳＩ）が−７５ｄＢｍ、受信信号品質（Ｅｃ／Ｉｏ）が−４．５ｄＢ、という結果が得られれば、対象の基地局はＡ−１のまま、その方向にアンテナを向けて中継動作を行なう。
または、＋規定値分、または−規定値分変化させた方向で（５）に示すように受信信号強度（ＲＳＳＩ）が−８０ｄＢｍと閾値以下であるけれども、受信信号品質（Ｅｃ／Ｉｏ）は−４．５ｄＢ？で閾値以上という結果が得られれば、中継局は、その方向にアンテナを向け、利得処理を行なうことで移動機へ送信する電波の受信信号強度の改善を行なうことで中継動作を続ける。
【００１９】
対基地局側アンテナの方向を水平方向に＋規定値分または−規定値分ずつ変化させて基地局から受信する電波を測定しても、（６）に示すように受信信号強度（ＲＳＳＩ）が−８０ｄＢｍ、受信信号品質（Ｅｃ／Ｉｏ）が−８．５ｄＢと閾値以下の場合には、中継局は水平の一定方向に規定値分ずつ対基地局側アンテナの方向を変化させ、基地局から受信する電波を測定する。測定の結果、受信信号強度（ＲＳＳＩ）および受信信号品質（Ｅｃ／Ｉｏ）がともに閾値以上の測定結果が得られれば、対基地局側アンテナをその方向に固定し、中継動作を行なう。
または、（７）に示すように、セル識別信号（ＰＮ、ＳＣ、ＲＳ）が基地局Ｂ−１を示す電波について、受信信号強度（ＲＳＳＩ）が−８０ｄＢｍ、受信信号品質（Ｅｃ／Ｉｏ）が−４．５ｄＢという測定結果が得られれば、中継局は、基地局Ｂ−１を上位基地局とし、（７）の測定結果が得られた方向にアンテナを向け、利得処理を行なうことで移動機へ送信する電波の受信信号強度の改善を行なうことで中継動作を続ける。
このとき、水平方向の＋−どちらの方向に対基地局側アンテナの方向を変化させていくかは、基地局Ａ−１について、より電波状況のよい方向を＋−規定値分変化させたときに得た測定結果を元に判断する他、予めきめておいてもよいし、上位の管理装置などからの指示によってもよい。
【００２０】
水平の一定方向に規定値分づつ対基地局側アンテナの方向を変化させ、上記基地局を切換えつつ基地局から受信できる電波を測定しても、基地局からの電波の測定値が閾値以上とならないまま１周してもとの位置に戻ってしまった場合には、それまで取得したデータの中で最も良い測定結果が得られた方向に、対基地局側アンテナを変更する。
【００２１】
図３にの処理フローは、上述の実施例のように一定時間隔で繰り返し行なう他、上位の管理装置などからの指示をトリガにおこなってもよい。
【実施例２】
【００２２】
次に実施例２について説明する。実施例２においても、図１、図２に示す構成は実施例１と共通である。実施例２のフローについては、図示してはいないが以下説明する。
実施例２では、パラメータを以下のように設定して、最適な上位基地局のサーチを行なう。角度は、現在の対基地局側アンテナの方向を０゜として表現している。
サーチ開始角度: ２７０゜
サーチ最終角度:   ９０°
サーチ回数         ２
サーチ角度刻み幅: ３０゜
サーチ最短判定測定時間 １分。
この時間が経過して、良好な測定が得られなければ、次の角度に移動する。
サーチ測定時間 １０分。
実施例２では、基地局からの電波の測定結果が良好でも、次の角度に変更する。
ＲＳＳＩの閾値  −７５ｄＢｍ  これ以下の場合、不適と判定する。
Ｅｃ／Ｉｏの閾値  −９．０ｄＢ  これ以下の場合、不適と判定する。
ＲＳＳＩ、Ｅｃ／Ｉｏの一方が閾値以下の場合も不適と判定する。
サーチ角度は、サーチ開始角度から始めて、刻み幅分ずつ増やす。
サーチ開始角度からサーチ最終角度の範囲で上位基地局のサーチを行なう。
サーチ時は、角度を変更するたびにＲＳＳＩ、Ｅｃ／Ｉｏを角度および時刻とともに記録する。
サーチ回数分の測定を行い、その後は、優良な角度に移動する。
【００２３】
実施例２においては、中継局は、通常は、最良の測定値の角度に移動するようにする。通常運用では、中継局は最良の角度で送信する。そして、一定時間間隔または上位の管理装置等からの指示により、上位基地局からの電波を測定を行い、測定の結果、ＲＳＳＩまたはＥｃ／Ｉｏが前述の閾値以下なら、サーチを開始する。サーチ開始角度からサーチ最終角度までサーチを行なった結果、ＲＳＳＩおよびＥｃ／Ｉｏが閾値以上の方向がない場合でも、中継局は、測定結果が最もよかった角度に対基地局側アンテナの変更し、中継動作を行なう。
【符号の説明】
【００２４】
１００、１０１  基地局
２００  中継局
２０１  対基地局側アンテナ
２０２  対移動機側アンテナ
２０３  アンテナ駆動部
２０４  受信部
２０５  測定部
２０６  情報処理部
２０７  送信部
２０８  データベース
３００  移動機
【図１】
2012054735.tif 000003
【図２】
2012054735.tif 000004
【図３】
2012054735.tif 000005
【図４】
2012054735.tif 000006